(57)【要約】      （修正有）【課題】洗濯物の投入前に高濃度の洗濯液を準備する必要のあるウェットクリーニングであっても、最初に洗濯物を投入しさえすれば、後は洗濯から乾燥までを自動的に行えるランドリー装置を提供する。【解決手段】液体のウェットクリーニング用洗剤を貯留する洗剤用タンク１００と、洗濯用水を温度調整する混合水栓２００と、前記洗剤用タンク１００からのウェットクリーニング用洗剤と温度調整された洗濯用水を混合して洗濯液とする混合部３００と、この混合部３００で混合された洗濯液を洗濯機５００に導く流路部と、この流路部を介して洗濯液、水が供給される洗濯機５００とを備えており、前記流路部は、断面積Ｘの３つのパイプ部４１０Ａ、４１０Ｂ、４１０Ｃと、断面積Ｙの２つの攪拌部４２０Ａ、４２０Ｂとからなり、Ｘ＜Ｙとなっている。【選択図】図１
0003184915.tif 000002
【実用新案登録請求の範囲】
【請求項１】
液体のウェットクリーニング用洗剤を貯留する洗剤用タンクと、洗濯用水を温度調整する混合水栓と、前記洗剤用タンクからのウェットクリーニング用洗剤と温度調整された洗濯用水を混合して洗濯液とする混合部と、この混合部で混合された洗濯液をコイン式の洗濯機に導く流路部と、この流路部を介して洗濯液、水が供給されるコイン式の洗濯機とを具備しており、前記流路部は、断面積Ｘのパイプ部と、断面積Ｙの攪拌部とからなり、Ｘ＜Ｙであることを特徴とするランドリー装置。
【請求項２】
前記攪拌部は、複数設けられていることを特徴とする請求項１記載のランドリー装置。
【考案の詳細な説明】
【技術分野】
【０００１】
本考案は、ランドリー装置に関する。
【背景技術】
【０００２】
有機溶剤を用いたドライクリーニングは、通常の水を使った洗濯では落とすことが難しいオイルの染みや口紅等の油脂系汚れをよく落とすことができる。
ただし、有機溶媒は可燃性であったり、またプラスチックを溶かしたりするため、どの過程でも専用の特別な機械を使用する必要があった。また、使用した有機溶剤を下水に流すことはできないため、回収・再利用できる仕組みになっている。
このため、いわゆるコインランドリーでは、ドライクリーニングを行うことはできなかった。これは家庭用のランドリー装置でも同様であった。
【０００３】
しかしながら、近年、ドライクリーニングと同等の洗浄能力をもったウェットクリーニングと称される新規なクリーニング方法が創案された。
このウェットクリーニングは、有機溶剤を使用することなく、特殊なウェットクリーニング用洗剤を使用している。このため、このウェットクリーニングはコイルランドリーでも行うことができるようになった。
【０００４】
このウェットクリーニングは以下の工程で行われる。
（１）洗濯機の洗濯槽に水とウェットクリーニング用洗剤とを投入し、両者を攪拌、混合して高濃度の洗濯液とする。なお、コインランドリーでは、洗濯槽の投入口が洗濯機の正面に形成されたいわゆるドラム式と称される洗濯機が使用されているため、この段階での水量は、洗濯槽の蓋を開けても洗濯液がこぼれない程度に留めておく必要がある。
（２）洗濯物を洗濯槽に投入する。
（３）洗濯物に前記高濃度の洗濯液をなじませる予洗を行う。
（４）予洗の次に本洗を行う。この本洗は、水の量を増量して行う。
（５）本洗の後、濯ぎ、脱水、ほぐし、乾燥を行う。
【０００５】
【非特許文献１】http://www.prowash.jp/pic ＿ninjya/ninjya ＿panf.pdf
【考案の開示】
【考案が解決しようとする課題】
【０００６】
上述したウェットクリーニングは、水とウェットクリーニング用洗剤とを混合して洗濯液とした後に、洗濯物を投入する必要がある。すなわち、最初に洗濯物を投入しさいすれば、後は洗濯、乾燥までを自動的に行ってくれるというコインランドリーならではの特徴を生かすことができないのである。
【０００７】
本考案は、上記事情に鑑みて創案されたもので、ウェットクリーニングであっても、最初に洗濯物を投入しさえすれば、後は洗濯、乾燥までを自動的に行ってくれるランドリー装置を提供することを目的としている。
【課題を解決するための手段】
【０００８】
本考案に係るランドリー装置は、液体のウェットクリーニング用洗剤を貯留する洗剤用タンクと、洗濯用水を温度調整する混合水栓と、前記洗剤用タンクからのウェットクリーニング用洗剤と温度調整された洗濯用水を混合して洗濯液とする混合部と、この混合部で混合された洗濯液を洗濯機に導く流路部と、この流路部を介して洗濯液、水が供給されるコイン式の洗濯機とを備えており、前記流路部は、断面積Ｘのパイプ部と、断面積Ｙの攪拌部とからなり、Ｘ＜Ｙとなっている。
【考案の効果】
【０００９】
本考案に係るランドリー装置は、混合部で洗濯用水とウェットクリーニング用洗剤とが混合され、ウェットクリーニングに適した濃度に調整された洗濯液となるので、従来のように洗濯の前に高濃度の洗濯液を作る必要がない。しかも、流路部には自然と乱流が発生する攪拌部が設けられているので、洗濯液は洗濯用水とウェットクリーニング用洗剤とがより混合され均一化されたものになる。
このため、洗濯物を洗濯機に投入して洗濯が開始されてから乾燥が完了するまで、洗濯槽の蓋を開けることが必要がないので、ウェットクリーニングであっても、最初に洗濯物を投入しさえすれば、後は洗濯、乾燥までを自動的に行ってくれる。
【００１０】
また、流路部に複数の攪拌部が設けられていると、洗濯液がより均一化されるので、より確実な洗濯が可能となる。
【図面の簡単な説明】
【００１１】
【図１】本考案の実施の形態に係るランドリー装置の概略的説明図である。
【考案を実施するための形態】
【００１２】
本考案の実施の形態に係るランドリー装置は、液体のウェットクリーニング用洗剤を貯留する洗剤用タンク１００と、洗濯用水を温度調整する混合水栓２００と、前記洗剤用タンク１００からのウェットクリーニング用洗剤と温度調整された洗濯用水を混合して洗濯液とする混合部３００と、この混合部３００で混合された洗濯液をコイン式の洗濯機５００に導く流路部４００と、この流路部４００を介して洗濯液、水が供給されるコイン式の洗濯機５００とを備えており、前記流路部４００は、断面積Ｘの３つのパイプ部４１０Ａ、４１０Ｂ、４１０Ｃと、断面積Ｙの２つの攪拌部４２０Ａ、４２０Ｂとからなり、Ｘ＜Ｙとなっている。
【００１３】
まず、前記混合水栓２００は、水が水供給路２１０から、温水が温水供給路２２０からそれぞれ供給され、供給された水と温水とを混合して洗濯用水として吐出管２３０から吐出する機能を有している。なお、この混合水栓２００は、吐出する洗濯用水の温度をウェットクリーニング用洗剤に適したものにするため、サーモスタットが設けられたものを用いるのが好ましい。
【００１４】
一方、洗剤用タンク１００は、所定量のウェットクリーニング用洗剤を貯留しておくものである。なお、洗剤用タンク１００は、据え置き式のものでもよいし、ウェットクリーニング用洗剤の包装用容器そのものであってもよい。
なお、据え置き式の洗剤用タンク１００であれば、貯留されたウェットクリーニング用洗剤を後述する混合部３００へと導くためのポンプを設けることが望ましい。
【００１５】
前記混合部３００は、前記混合水栓２００から吐出された洗濯用水と、前記洗剤タンク１００から供給されたウェットクリーニング用洗剤を混合してウェットクリーニングに適した濃度の洗濯液とする機能を有している。洗濯用水は、混合水栓２００の吐出管２３０から吐出され、自ら混合部３００へと導かれる。
一方、混合部３００には、洗剤用タンク１００からウェットクリーニング用洗剤が供給される。上述したポンプを有した洗剤用タンク１００であればよいが、ポンプのないタイプのもの（例えば、ウェットクリーニング用洗剤の包装用容器そのもの）である場合には、この混合部３００自体がポンプを備えるか、ポンプを介してウェットクリーニング用洗剤が供給されるようにする必要がある。
この混合部３００は、流路部４００の第１のパイプ部４１０Ａに接続されている。
【００１６】
この流路部４００は、第１のパイプ部４１０Ａと、第２のパイプ部４１０Ｂと、第３のパイプ部４１０Ｃとの合計３つのパイプ部と、第１の攪拌部４２０Ａと、第２の攪拌部４２０Ｂとの合計２つの攪拌部とから構成されている。
また、前記３つのパイプ部４１０Ａ、４１０Ｂ、４１０Ｃは、前記混合部３００と第１の攪拌部４２０Ａとを接続する第１のパイプ部４１０Ａと、第１の攪拌部４２０Ａと第２の攪拌部４２０Ｂとを接続する第２のパイプ部４１０Ｂと、第２の攪拌部４２０Ｂとコイン式の洗濯機５００とを接続する第３のパイプ部４１０Ｃとから構成されている。
【００１７】
第１のパイプ部４１０Ａ、第２のパイプ部４１０Ｂ、第３のパイプ部４１０Ｃの断面積をＸとし、第１の攪拌部４２０Ａ及び第２の攪拌部４２０Ｂの断面積をＹとした場合、Ｘ＜Ｙであるように設定する。すなわち、各パイプ部４１０Ａ、４１０Ｂ、４１０Ｃより各攪拌部４２０Ａ、４２０Ｂの方が太くなっているのである。
【００１８】
このように、各パイプ部４１０Ａ、４１０Ｂ、４１０Ｃと各攪拌部４２０Ａ、４２０Ｂの太さを設定すると、洗濯液が第１のパイプ部４１０Ａから第１の攪拌部４２０Ａへ、第２のパイプ部４１０Ｂから第２の攪拌部４２０Ｂへと流入する際に自然と乱流が生じるので、洗濯液を構成する洗濯用水とウェットクリーニング用洗剤とがより混合され均一化される。
【００１９】
このように構成されたランドリー装置では、以下の工程でウェットクリーニングが行われる。
（１）コイン式の洗濯機５００の洗濯槽に洗濯物を投入する。使用者が行うのは、この洗濯物の投入と洗濯コースの選択だけである。
（２）混合水栓２００からの洗濯用水と、洗剤用タンク１００からのウェットクリーニング用洗剤とが混合部３００で混合され、最適な濃度の洗濯液となる。
（３）この洗濯液は、流路部４００の第１のパイプ部４１０Ａ→第１の攪拌部４２０Ａ→第２のパイプ部４１０Ｂ→第２の攪拌部４２０Ｂ→第３のパイプ部４１０Ｃの順でコイン式の洗濯機５００へと送られる。
（４）コイン式の洗濯機５００では、予洗→本洗→濯ぎ→脱水→ほぐし→乾燥の順で洗濯が行われる。
【００２０】
このランドリー装置では、洗濯物をコイン式の洗濯機５００に投入して洗濯が開始されてから乾燥が完了するまで、洗濯槽の蓋を開けることが必要がないので、ウェットクリーニングであっても、最初に洗濯物を投入しさえすれば、後は洗濯、乾燥までを自動的に行ってくれる。
【００２１】
なお、上述した実施の形態では、コインランドリーと称されるコインを投入することによって使用することができるようになるランドリー装置を例として挙げたが、本考案がこれに限定されるものではない。家庭用や業務用のランドリー装置であっても、適用できることは言うまでもない。
【符号の説明】
【００２２】
１００    洗剤用タンク
２００    混合水栓
３００    混合部
４００    流路部
５００    コイン式の洗濯機
【図１】
0003184915.tif 000003